(57)【要約】【課題】  軽度の作業負担で、巻取材料に対して製品情報を付与する。【解決手段】  原反となる巻取材料１００を給紙側にセットし、ここから引き出した長尺状材料を排紙側へと搬送し、この搬送過程で所定の加工処理を施す。加工処理後の長尺状材料は所定長さごとに切断されて巻き取られ、合計３本の加工済巻取材料２１０，２２０，２３０が生成される。情報読出部４０は、巻取材料１００に取り付けられている親ＩＣタグＴ１００から原反情報Ｄ１００を読み出す。情報入力部５０は、３本の加工済巻取材料のそれぞれについて実施される加工処理の内容を示す加工情報Ｋ１，Ｋ２，Ｋ３を入力する。製品情報作成部６０は、原反情報Ｄ１００に、各加工情報を付加して、製品情報Ｄ２１０，Ｄ２２０，Ｄ２３０を作成する。情報書込部７０は、各製品情報を対応する加工済巻取材料２１０〜２３０用の子ＩＣタグＴ２１０〜Ｔ２３０に書き込む。【選択図】  図２
2006273441.tif 000002
【特許請求の範囲】
【請求項１】
原反となる巻取材料を給紙側にセットし、この給紙側から引き出した長尺状材料を排紙側へと搬送し、この搬送過程で前記長尺状材料に対して所定の加工処理を施し、加工処理後の長尺状材料を所定長さごとに切断して排紙側で巻き取ることにより、複数Ｎ本の加工済巻取材料を生成する巻取材料の加工プロセスが行われる場合に、生成される各加工済巻取材料にそれぞれ所定の製品情報を付与する処理を行う製品情報付与装置であって、
原反となる巻取材料に取り付けられている親ＩＣタグと無線交信し、この親ＩＣタグに記録されている原反情報を読み出す情報読出部と、
前記搬送過程で施される加工処理の内容を示す加工情報を、Ｎ本の加工済巻取材料のそれぞれについて入力する情報入力部と、
前記情報読出部によって読み出された原反情報に、Ｎ本の加工済巻取材料のそれぞれについて入力された加工情報を付加することにより、Ｎ本の加工済巻取材料のそれぞれに付与すべき合計Ｎ通りの製品情報を作成する製品情報作成部と、
Ｎ本の加工済巻取材料のそれぞれに取り付けられるべき子ＩＣタグと無線交信し、前記Ｎ通りの製品情報のうち、それぞれ対応する製品情報を書き込む情報書込部と、
を備えることを特徴とする巻取材料の製品情報付与装置。
【請求項２】
原反となる複数Ｍ本の巻取材料を給紙側にセットし、この給紙側から引き出したＭ枚の長尺状材料を排紙側へと搬送し、この搬送過程で前記Ｍ枚の長尺状材料に対してラミネート加工を施して１枚の複合紙を形成させ、この複合紙を排紙側で巻き取ることにより加工済巻取材料を生成する巻取材料の加工プロセスが行われる場合に、生成される加工済巻取材料に所定の製品情報を付与する処理を行う製品情報付与装置であって、
原反となるＭ本の巻取材料に取り付けられている各親ＩＣタグと無線交信し、これら親ＩＣタグに記録されている合計Ｍ通りの原反情報を読み出す情報読出部と、
前記搬送過程で施されるラミネート加工の内容を示す加工情報を入力する情報入力部と、
前記情報読出部によって読み出されたＭ通りの原反情報をすべて結合して得られる結合情報に、前記加工情報を付加することにより、加工済巻取材料に付与すべき製品情報を作成する製品情報作成部と、
加工済巻取材料に取り付けられるべき子ＩＣタグと無線交信し、前記製品情報を書き込む情報書込部と、
を備えることを特徴とする巻取材料の製品情報付与装置。
【請求項３】
原反となる複数Ｍ本の巻取材料を給紙側にセットし、この給紙側から引き出したＭ枚の長尺状材料を排紙側へと搬送し、この搬送過程で前記Ｍ枚の長尺状材料に対してラミネート加工を施して１枚の複合紙を形成させ、この複合紙からなる長尺状材料を所定長さごとに切断して排紙側で巻き取ることにより、複数Ｎ本の加工済巻取材料を生成する巻取材料の加工プロセスが行われる場合に、生成される各加工済巻取材料にそれぞれ所定の製品情報を付与する処理を行う製品情報付与装置であって、
原反となるＭ本の巻取材料に取り付けられている各親ＩＣタグと無線交信し、これら親ＩＣタグに記録されている合計Ｍ通りの原反情報を読み出す情報読出部と、
前記搬送過程で施されるラミネート加工の内容を示す加工情報を、Ｎ本の加工済巻取材料のそれぞれについて入力する情報入力部と、
前記情報読出部によって読み出されたＭ通りの原反情報をすべて結合して得られる結合情報に、Ｎ本の加工済巻取材料のそれぞれについて入力された加工情報を付加することにより、Ｎ本の加工済巻取材料のそれぞれに付与すべき合計Ｎ通りの製品情報を作成する製品情報作成部と、
Ｎ本の加工済巻取材料のそれぞれに取り付けられるべき子ＩＣタグと無線交信し、前記Ｎ通りの製品情報のうち、それぞれ対応する製品情報を書き込む情報書込部と、
を備えることを特徴とする巻取材料の製品情報付与装置。
【発明の詳細な説明】
【技術分野】
【０００１】
本発明は、巻取材料の製品情報付与装置に関し、特に、原反となる巻取材料に対して種々の加工を施し、加工済巻取材料を製品として出荷する際に、当該製品にＩＣタグを取り付けて製品情報を付与するための技術に関する。
【背景技術】
【０００２】
製造メーカは、通常、自社製品を出荷する際に、当該製品に種々の情報を付与する。たとえば、市場に流通している多くの製品には、製造メーカ名、製品名、商品コード、製造番号、原料、成分、重量などの製品情報が付与されている。このような製品情報を個々の製品に付与する具体的な手法としては、製品のパッケージ裏面などに製品情報記載欄を設け、ここに文字表示として、必要な製品情報を記載する方法が一般的である。
【０００３】
ところが最近は、小型化および低コスト化が図られたＩＣタグを利用して、種々の製品情報を製品に付与する手法が普及し始めている。ＩＣタグは、ＣＰＵおよびメモリを有する小型のコンピュータとして機能することができ、しかも現在主流となっている非接触型ＩＣタグは、外部装置との間で無線交信を行う機能を備えているため、内蔵メモリに対するデータの書込処理やデータの読出処理を、非接触状態で行うことができる。また、ＩＣタグの内蔵メモリの容量は、一般的な文字データを記録するには十分であり、前掲の製造メーカ名、製品名、商品コード、製造番号、原料、成分、重量など、さまざまな製品情報を記録することが可能である。
【０００４】
このようなＩＣタグのメリットを利用して、製品出荷時に、個々の製品にＩＣタグを取り付け、このＩＣタグ内に種々の製品情報を記録した状態で市場へ供給する運用が、一般的に普及し始めている。たとえば、下記の特許文献１には、製品に貼り付けられた非接触ＩＣタグに、様々な製品情報を記録することにより、流通過程における製品情報管理を行うシステムが開示されている。特に、建材では、流通過程のみならず、施工過程や廃棄過程においても、製造メーカ名、製品名、商品コード、寸法、重量、材質などの製品情報が必要になることも少なくなく、これらの製品情報を、製品出荷時にＩＣタグとして建材に付与しておけば、大きなメリットが得られる。このような建材への利用形態を考慮して、下記の特許文献２には、建材に取り付けるのに適した防湿性、耐久性のあるＩＣタグの構造が開示されている。
【特許文献１】特開２００４−２６９０６５号公報
【特許文献２】特開２００４−０３７９０２号公報
【発明の開示】
【発明が解決しようとする課題】
【０００５】
建材をはじめとする種々の工業製品の中には、巻取材料の形態で出荷される製品がある。たとえば、壁紙や化粧シート、化粧紙などの建材は、通常、所定幅をもったロール状の巻取材料として提供され、施工現場において、所定の長さに切断して利用される。このような巻取材料の形態をとる製品は、原反となる巻取材料を給紙側にセットし、この給紙側から引き出した長尺状材料を排紙側へと搬送し、この搬送過程で所定の加工処理を施すことによって製造されるのが一般的である。通常、このような加工プロセスが数回繰り返して行われ、必要に応じて、加工処理後の長尺状材料を所定長さごとに切断して、１本の原反に対して複数本の加工済巻取材料を作成する場合もある。また、複数本の原反に対してラミネート加工を施して、材料を積層した複合紙の状態にし、１本の加工済巻取材料を作成する場合もある。
【０００６】
このように最終製品として出荷される加工済巻取材料は、様々な原反に、様々な加工プロセスを施して生産される製品となる。したがって、この最終製品に対して製品情報を付与する場合、原材料となった原反に関する種々の情報から、実施された個々の加工プロセスの情報に至るまで、様々な情報を収集する必要がある。前述したように、ＩＣタグを利用して製品情報を付加する手法をとれば、比較的大容量のデータを記録して各製品に付与することが可能になるが、ＩＣタグ内に記録するための製品情報を収集する作業は極めて煩雑にならざるを得ない。
【０００７】
そこで本発明は、軽度の作業負担で、巻取材料に対して製品情報を付与することができる装置を提供することを目的とする。
【課題を解決するための手段】
【０００８】
(1)   本発明の第１の態様は、原反となる巻取材料を給紙側にセットし、この給紙側から引き出した長尺状材料を排紙側へと搬送し、この搬送過程で長尺状材料に対して所定の加工処理を施し、加工処理後の長尺状材料を所定長さごとに切断して排紙側で巻き取ることにより、複数Ｎ本の加工済巻取材料を生成する巻取材料の加工プロセスが行われる場合に、生成される各加工済巻取材料にそれぞれ所定の製品情報を付与する処理を行う製品情報付与装置において、
原反となる巻取材料に取り付けられている親ＩＣタグと無線交信し、この親ＩＣタグに記録されている原反情報を読み出す情報読出部と、
搬送過程で施される加工処理の内容を示す加工情報を、Ｎ本の加工済巻取材料のそれぞれについて入力する情報入力部と、
情報読出部によって読み出された原反情報に、Ｎ本の加工済巻取材料のそれぞれについて入力された加工情報を付加することにより、Ｎ本の加工済巻取材料のそれぞれに付与すべき合計Ｎ通りの製品情報を作成する製品情報作成部と、
Ｎ本の加工済巻取材料のそれぞれに取り付けられるべき子ＩＣタグと無線交信し、作成したＮ通りの製品情報のうち、それぞれ対応する製品情報を書き込む情報書込部と、
を設けるようにしたものである。
【０００９】
(2)   本発明の第２の態様は、原反となる複数Ｍ本の巻取材料を給紙側にセットし、この給紙側から引き出したＭ枚の長尺状材料を排紙側へと搬送し、この搬送過程でＭ枚の長尺状材料に対してラミネート加工を施して１枚の複合紙を形成させ、この複合紙を排紙側で巻き取ることにより加工済巻取材料を生成する巻取材料の加工プロセスが行われる場合に、生成される加工済巻取材料に所定の製品情報を付与する処理を行う製品情報付与装置でにおいて、
原反となるＭ本の巻取材料に取り付けられている各親ＩＣタグと無線交信し、これら親ＩＣタグに記録されている合計Ｍ通りの原反情報を読み出す情報読出部と、
搬送過程で施されるラミネート加工の内容を示す加工情報を入力する情報入力部と、
情報読出部によって読み出されたＭ通りの原反情報をすべて結合して得られる結合情報に、入力した加工情報を付加することにより、加工済巻取材料に付与すべき製品情報を作成する製品情報作成部と、
加工済巻取材料に取り付けられるべき子ＩＣタグと無線交信し、作成した製品情報を書き込む情報書込部と、
を設けるようにしたものである。
【００１０】
(3)   本発明の第３の態様は、原反となる複数Ｍ本の巻取材料を給紙側にセットし、この給紙側から引き出したＭ枚の長尺状材料を排紙側へと搬送し、この搬送過程でＭ枚の長尺状材料に対してラミネート加工を施して１枚の複合紙を形成させ、この複合紙からなる長尺状材料を所定長さごとに切断して排紙側で巻き取ることにより、複数Ｎ本の加工済巻取材料を生成する巻取材料の加工プロセスが行われる場合に、生成される各加工済巻取材料にそれぞれ所定の製品情報を付与する処理を行う製品情報付与装置において、
原反となるＭ本の巻取材料に取り付けられている各親ＩＣタグと無線交信し、これら親ＩＣタグに記録されている合計Ｍ通りの原反情報を読み出す情報読出部と、
搬送過程で施されるラミネート加工の内容を示す加工情報を、Ｎ本の加工済巻取材料のそれぞれについて入力する情報入力部と、
情報読出部によって読み出されたＭ通りの原反情報をすべて結合して得られる結合情報に、Ｎ本の加工済巻取材料のそれぞれについて入力された加工情報を付加することにより、Ｎ本の加工済巻取材料のそれぞれに付与すべき合計Ｎ通りの製品情報を作成する製品情報作成部と、
Ｎ本の加工済巻取材料のそれぞれに取り付けられるべき子ＩＣタグと無線交信し、作成したＮ通りの製品情報のうち、それぞれ対応する製品情報を書き込む情報書込部と、
を設けるようにしたものである。
【発明の効果】
【００１１】
本発明に係る巻取材料の製品情報付与装置によれば、原反となる巻取材料に取り付けられている親ＩＣタグから読み出した情報と新たに入力した加工情報とを利用して、新たな製品情報を作成し、これを子ＩＣタグに書き込んだ上で加工済巻取材料に取り付けるようにしたため、軽度の作業負担で、巻取材料に対して製品情報を付与することができるようになる。
【発明を実施するための最良の形態】
【００１２】
以下、本発明を図示する実施形態に基づいて説明する。
【００１３】
＜＜＜  §１．第１の実施形態  ＞＞＞
まず、本発明の第１の実施形態に係る巻取材料の製品情報付与装置を説明する。この第１の実施形態は、図１の模式図に示されているような巻取材料の加工系に適用するための装置である。この図１に示す加工系は、給紙部１０，加工部２０，排紙部３０から構成され、図の左側（給紙側）から右側（排紙側）に向けて、巻取材料から引き出した材料を搬送しながら加工を施す機能を有している。
【００１４】
給紙部１０は、原反となる巻取材料１００をセットするための機構を有し、この給紙部１０にセットされた巻取材料１００の先端部は、長尺状材料１０１として、図の右側（搬送方向）へと引き出され、排紙側へ向けて搬送される。加工部２０は、この搬送過程で、長尺状材料１０１に対して所定の加工処理を施す。最も一般的な加工処理は、印刷である。たとえば、壁紙を生産する工程の場合、印刷前の原反となる巻取材料１００から引き出した長尺状材料１０１上に、所定の絵柄を印刷する加工処理が施される。このような巻取材料に対する絵柄の印刷には、通常、エンドレス版と呼ばれる連続模様が得られる版（境界部分の模様が連続するような配慮がなされた版）が用いられ、長尺状材料１０１に対して連続的に模様の印刷が行われる。また、印刷後には、乾燥工程が行われるのが一般的であり、加工部２０によって行われる加工処理は、印刷処理だけではなく、乾燥処理も含んだものになる。もちろん、加工部２０によって行われる加工処理は、印刷処理や乾燥処理に限定されるものではなく、実際には、表面に樹脂を塗布する表面処理など様々である。
【００１５】
こうして、加工部２０による加工を経て、長尺状材料１０１は長尺状材料２１１へと変貌を遂げ、排紙側へと搬送されてゆく。排紙部３０は、この長尺状材料２１１を巻き取って、加工済巻取材料２１０を生成するための機構を有する。ここに示す例では、このとき、加工処理後の長尺状材料２１１を所定長さごとに切断して排紙側で巻き取ることにより、複数Ｎ本の加工済巻取材料を生成する巻取材料の加工プロセスが行われる。たとえば、原反となる巻取材料１００が全長３００ｍの長さをもった材料であった場合、排紙側で、これを１００ｍごとに切断して、それぞれ別個に巻き取ってゆくようにすれば、合計３本の加工済巻取材料２１０，２２０，２３０が生成されることになる。もちろん、加工済巻取材料の長さは、必ずしも同じにする必要はなく、たとえば、５０ｍ，５０ｍ，２００ｍの３本を生成することも可能である。
【００１６】
さて、ここで述べる第１の実施形態に係る巻取材料の製品情報付与装置は、この図１に示すような加工系に適用するために、図２に示すように、情報読出部４０，情報入力部５０，製品情報作成部６０，情報書込部７０の４つの構成要素を備えている。この図２における巻取材料１００は、図１の給紙側にセットされる原反となる巻取材料１００であり、図２における加工済巻取材料２１０，２２０，２３０は、この巻取材料１００に対して所定の加工を施すことにより、図１に示す排紙側に順次得られることになる巻取材料である。
【００１７】
本発明に係る巻取材料の製品情報付与装置を利用するには、原反となる巻取材料１００に、予めＩＣタグが取り付けられており、このＩＣタグ内に、当該巻取材料１００についての製品情報が記録されていることが前提となる。ここでは、説明の便宜上、原反となる巻取材料１００に取り付けられているＩＣタグを「親ＩＣタグ」と呼ぶことにする。本発明では、この親ＩＣタグに記録されていた原反情報（原反となる巻取材料１００についての製品情報）を利用して、加工済巻取材料２１０，２２０，２３０に付与すべき製品情報を作成し、これら各製品情報を、各加工済巻取材料２１０，２２０，２３０に取り付けられるべきＩＣタグ（ここでは、「子ＩＣタグ」と呼ぶ）に書き込む処理が実行される。
【００１８】
本願図面では、巻取材料に取り付けられたＩＣタグを黒い四角形で図示することにする。一般的な非接触式のＩＣタグは、フィルム状の基材に支持されており、粘着シールのように、巻取材料の任意の箇所に貼り付けることができ、必要に応じて、剥がすこともできる。図２に示すＩＣタグＴ１００は、原反となる巻取材料１００に貼り付けられた親ＩＣタグであり、ＩＣタグＴ２１０，Ｔ２２０，Ｔ２３０は、それぞれ加工済巻取材料２１０，２２０，２３０に貼り付けられた子ＩＣタグである。本発明に係る製品情報付与装置の目的は、各加工済巻取材料に取り付けるべき子ＩＣタグＴ２１０，Ｔ２２０，Ｔ２３０に、それぞれ所定の製品情報Ｄ２１０，Ｄ２２０，Ｄ２３０を記録する処理を行うことにある。
【００１９】
親ＩＣタグＴ１００には、予め原反情報Ｄ１００が記録されている。この原反情報Ｄ１００は、原反となる巻取材料１００についての製品情報であり、巻取材料１００についての製造メーカ名、製品名、商品コード、識別コード（個々の巻取材料を互いに識別するためのいわゆるロールナンバー）、寸法、重量、材質などを示すデータである。原反となる巻取材料１００を供給する製造メーカが、工場出荷時に、この親ＩＣタグＴ１００を巻取材料１００に取り付けている場合には、この巻取材料１００を仕入れた段階で、既に原反情報Ｄ１００を記録した親ＩＣタグＴ１００が用意された状態となっているので、何ら準備を行う必要はないが、仕入れた巻取材料１００に、このような親ＩＣタグが取り付けられていない場合には、まず、親ＩＣタグＴ１００を準備する作業を行う必要がある。具体的には、仕入段階で、巻取材料１００に親ＩＣタグＴ１００を貼り付け、ＩＣタグ用リーダライタ装置を用いて、当該巻取材料１００についての原反情報（仕入伝票や、メーカから提供されるカタログ、仕様書などから得ることができる）を、データとして親ＩＣタグＴ１００に書き込む作業を行うことになる。
【００２０】
情報読出部４０は、原反となる巻取材料１００に取り付けられている親ＩＣタグＴ１００と無線交信し、この親ＩＣタグＴ１００に記録されている原反情報Ｄ１００を読み出す機能をもった構成要素である。具体的には、ＩＣタグ用リーダライタ装置により、この情報読出部４０を構成することができる。なお、原反情報Ｄ１００の読出しが終わった後は、必要に応じて、巻取材料１００から親ＩＣタグＴ１００を取り外し、その記録内容を消去すれば、新たなＩＣタグとして再利用することが可能である。
【００２１】
情報入力部５０は、搬送過程で加工部２０によって施される加工処理の内容を示す加工情報を入力する機能をもった構成要素であり、コンピュータおよびその入力機器を用いて構成することができる。具体的には、コンピュータ本体、キーボードやマウスなどの入力機器、ディスプレイ装置、そして入力処理を行うための専用プログラムによって、情報入力部５０を構成することができる。
【００２２】
前述したとおり、図１に示す加工系では、加工処理後の長尺状材料２１１を所定長さごとに切断して排紙側で巻き取ることにより、複数Ｎ本の加工済巻取材料を生成することができる。図２には、Ｎ＝３、すなわち、合計３本の加工済巻取材料２１０，２２０，２３０を生成した例が示されている。そこで、情報入力部５０には、このＮ本の加工済巻取材料のそれぞれについて、実施した加工処理の内容を示す加工情報を入力する機能が設けられている。図２に示す例の場合、３本の加工済巻取材料２１０，２２０，２３０のそれぞれについての加工情報Ｋ１，Ｋ２，Ｋ３が独立して入力されることになる。
【００２３】
たとえば、全長３００ｍの同一の原反となる巻取材料１００を用いて、それぞれ１００ｍの長さをもった絵柄の異なる３種類の壁紙を作成する場合を考えてみよう。この場合、加工部２０の印刷機には、まず、第１の絵柄を印刷するための版をセットし、給紙側から引き出された１００ｍ分の長尺状材料１０１に対して印刷工程および乾燥工程を行い、排紙側に巻き取ってゆき、第１の加工済巻取材料２１０を作成する。続いて、第２の絵柄を印刷するための版をセットし、同様に１００ｍ分の長尺状材料１０１に対して印刷工程および乾燥工程を行い、排紙側で別なロールとして巻き取ってゆき、第２の加工済巻取材料２２０を作成する。最後に、第３の絵柄を印刷するための版をセットし、残った１００ｍ分の長尺状材料１０１に対して印刷工程および乾燥工程を行い、排紙側で別なロールとして巻き取ってゆき、第３の加工済巻取材料２３０を作成すれば、絵柄の異なる３種類の壁紙が得られることになる。
【００２４】
この場合、３本の加工済巻取材料２１０，２２０，２３０のそれぞれについて、異なる加工工程が実施されることになるので、情報入力部５０に対しては、それぞれについて別個の加工情報Ｋ１，Ｋ２，Ｋ３を入力するようにする。加工情報Ｋ１，Ｋ２，Ｋ３としては、たとえば、各巻取材料の長さ、印刷に用いた版の識別番号、インキの種類や配合割合、印刷時の印刷速度、乾燥機の温度などのデータを入力することができる。また、本願にいう「加工情報」とは、加工工程によって得られる加工済巻取材料を特定するための識別コード（ロールナンバー）や、発注時に与えられる注文番号などの書誌的情報も含むものであり、加工情報Ｋ１，Ｋ２，Ｋ３には、これらの書誌的情報を含ませてもかまわない。
【００２５】
なお、情報入力部５０に対する加工情報の入力作業は、実際に加工処理を行う前であってもよいし、加工処理を行っている最中でもよいし、加工処理を行った後であってもかまわない。また、３本の加工済巻取材料２１０，２２０，２３０を作成する場合であっても、すべて同一の印刷条件で同一の絵柄を印刷するような場合には、ロールナンバーや注文番号などの書誌的情報部分を除くとＫ１＝Ｋ２＝Ｋ３となるので、この書誌的情報を除く部分に関しては１回の入力を行えば足りる。
【００２６】
製品情報作成部６０は、情報読出部４０によって読み出された原反情報に、Ｎ本の加工済巻取材料のそれぞれについて入力された加工情報を付加することにより、Ｎ本の加工済巻取材料のそれぞれに付与すべき合計Ｎ通りの製品情報を作成する機能を果たす構成要素であり、実際には、コンピュータに専用のプログラムを組み込むことにより構成される。図２に示す例の場合、情報読出部４０によって読み出された原反情報Ｄ１００に、３本の加工済巻取材料２１０，２２０，２３０のそれぞれについて入力された加工情報Ｋ１，Ｋ２，Ｋ３を付加することにより、３本の加工済巻取材料２１０，２２０，２３０のそれぞれに付与すべき合計３通りの製品情報Ｄ２１０，Ｄ２２０，Ｄ２３０が作成されることになる。すなわち、製品情報Ｄ２１０は、原反情報Ｄ１００に加工情報Ｋ１を付加したものとなり、製品情報Ｄ２２０は、原反情報Ｄ１００に加工情報Ｋ２を付加したものとなり、製品情報Ｄ２３０は、原反情報Ｄ１００に加工情報Ｋ３を付加したものとなる。
【００２７】
情報書込部７０は、作成されたＮ本の加工済巻取材料のそれぞれに取り付けられるべき子ＩＣタグと無線交信し、製品情報作成部６０によって作成されたＮ通りの製品情報のうち、それぞれ対応する製品情報を書き込む機能を果たす構成要素であり、実際には、ＩＣタグ用リーダライタ装置により構成することができる。図２に示す例の場合、情報書込部７０は、製品情報作成部６０によって作成された３通りの製品情報Ｄ２１０，Ｄ２２０，Ｄ２３０を、３つの子ＩＣタグＴ２１０，Ｔ２２０，Ｔ２３０（未使用のＩＣタグ）に書き込む処理を行う。加工作業担当者は、こうして書込処理が完了した子ＩＣタグＴ２１０，Ｔ２２０，Ｔ２３０を、それぞれ加工済巻取材料２１０，２２０，２３０に貼り付ける作業を行うことになる。もちろん、貼り付け後に書込処理を行ってもかまわない。
【００２８】
かくして、３本の加工済巻取材料２１０，２２０，２３０には、それぞれ子ＩＣタグＴ２１０，Ｔ２２０，Ｔ２３０が貼り付けられた状態となる。しかもすべての各子ＩＣタグには、親ＩＣタグＴ１００に記録されていた原反情報Ｄ１００がそっくり含まれており、原反となった巻取材料１００に関する製品情報がそのまま盛り込まれていることになる。また、子ＩＣタグＴ２１０，Ｔ２２０，Ｔ２３０には、個々の加工済巻取材料２１０，２２０，２３０に対して実施された加工工程の内容を示す加工情報Ｋ１，Ｋ２，Ｋ３が、それぞれ盛り込まれているので、それぞれに必要な製品情報がＩＣタグによって付与されたことになる。たとえば、子ＩＣタグＴ２１０には、「原反情報：製造メーカ○○、製品名○○、商品コード○○、材質○○」および「加工情報：使用インキ○○，○○，○○」のようなデータが記録されることになる。また、ロールナンバーなどの書誌的情報に関しては、たとえば、原反情報に含まれていたロールナンバーに、加工情報として与えた枝番を付すことにより、新たなロールナンバーを生成することが可能である。具体的には、原反情報Ｄ１００内に「ロールナンバー：１２３４５」なる情報が含まれていた場合、加工情報Ｋ１の一部として枝番「−Ｋ１」を与えるようにすれば、加工済巻取材料２１０に付与する製品情報Ｄ２１０には、「ロールナンバー：１２３４５−Ｋ１」のような情報を加えることができる。同様に、Ｄ２２０には「ロールナンバー：１２３４５−Ｋ２」、Ｄ２３０には「ロールナンバー：１２３４５−Ｋ３」が加えられる。
【００２９】
＜＜＜  §２．第２の実施形態  ＞＞＞
続いて、本発明の第２の実施形態に係る巻取材料の製品情報付与装置を説明する。この第２の実施形態は、図３の模式図に示されているような巻取材料の加工系に適用するための装置である。この図３に示す加工系も、図１に示す加工系と同様に、給紙部１５，加工部２５，排紙部３５から構成され、図の左側（給紙側）から右側（排紙側）に向けて、巻取材料から引き出した材料を搬送しながら加工を施す機能を有している。
【００３０】
ここで、給紙部１５は、原反となる複数Ｍ本（図示の例では、Ｍ＝２）の巻取材料１１０，１２０をセットするための機構を有し、この給紙部１５にセットされた巻取材料１１０，１２０の先端部は、長尺状材料１１１，１２１として、図の右側（搬送方向）へと引き出され、排紙側へ向けて搬送される。加工部２５は、この搬送過程で、Ｍ枚の長尺状材料１１１，１２１に対してラミネート加工を施して１枚の複合紙からなる長尺状材料２５１を形成させる処理を施す。排紙部３５は、この長尺状材料２５１を巻き取って、１本の加工済巻取材料２５０を生成するための機構を有する。結局、複数Ｍ本の巻取材料が、ラミネート加工により、１本の複合紙からなる巻取材料に変貌を遂げたことになる。また、必要に応じて、加工部２５では、ラミネート加工だけでなく、一般的な加工処理（たとえば、印刷処理や乾燥処理）を行ってもかまわない。
【００３１】
ここで述べる第２の実施形態に係る巻取材料の製品情報付与装置は、この図３に示すような加工系に適用するために、図４に示すように、情報読出部４５，情報入力部５５，製品情報作成部６５，情報書込部７５の４つの構成要素を備えている。この図４における２本の巻取材料１１０，１２０は、図３の給紙側にセットされる原反となる各巻取材料１１０，１２０であり、図４における加工済巻取材料２５０は、この２本の巻取材料１１０，１２０に対してラミネート加工を施すことにより、図３に示す排紙側に得られることになる巻取材料である。
【００３２】
この第２の実施形態に係る巻取材料の製品情報付与装置を利用する場合も、原反となる各巻取材料１１０，１２０に、それぞれ親ＩＣタグが取り付けられており、この親ＩＣタグ内に、各巻取材料１１０，１２０についての製品情報が記録されていることが前提となる。この第２の実施形態では、各親ＩＣタグに記録されていた原反情報を結合して、加工済巻取材料２５０に付与すべき製品情報を作成し、この製品情報を、加工済巻取材料２５０に取り付けられるべき子ＩＣタグに書き込む処理が実行される。
【００３３】
図４においても、巻取材料に取り付けられたＩＣタグは黒い四角形で図示されている。すなわち、図４に示すＩＣタグＴ１１０，Ｔ１２０は、それぞれ原反となる巻取材料１１０，１２０に貼り付けられた親ＩＣタグであり、ＩＣタグＴ２５０は、加工済巻取材料２５０に貼り付けられた子ＩＣタグである。ここに示す製品情報付与装置の目的は、加工済巻取材料に取り付けるべき子ＩＣタグＴ２５０に、所定の製品情報Ｄ２５０を記録する処理を行うことにある。
【００３４】
各親ＩＣタグＴ１１０，Ｔ１２０には、それぞれ原反情報Ｄ１１０，Ｄ１２０が記録されている。これらの原反情報Ｄ１１０，Ｄ１２０は、原反となる巻取材料１１０，１２０についての製造メーカ名、製品名、商品コード、識別コード（ロールナンバー）、寸法、重量、材質などを示す製品情報である。通常、原反となる巻取材料１１０，１２０を供給する製造メーカが、工場出荷時に、各原反についての製造情報を、親ＩＣタグＴ１１０，Ｔ１２０に記録することになるので、巻取材料１１０，１２０を仕入れた段階で、既に原反情報Ｄ１１０，Ｄ１２０を記録した親ＩＣタグＴ１１０，Ｔ１２０が用意された状態となっている。もっとも、仕入れた巻取材料１１０，１２０に、このような親ＩＣタグが取り付けられていない場合には、まず、親ＩＣタグＴ１１０，Ｔ１２０を準備する作業を行う必要がある。すなわち、仕入段階で、巻取材料１１０，１２０に親ＩＣタグＴ１１０，Ｔ１２０を貼り付け、ＩＣタグ用リーダライタ装置を用いて、各巻取材料１１０，１２０についての原反情報（仕入伝票や、メーカから提供されるカタログ、仕様書などから得ることができる）を、データとして親ＩＣタグＴ１１０，Ｔ１２０に書き込む作業を行うことになる。
【００３５】
情報読出部４５は、原反となる巻取材料１１０，１２０に取り付けられている親ＩＣタグＴ１１０，Ｔ１２０と無線交信し、これら親ＩＣタグＴ１１０，Ｔ１２０に記録されている原反情報Ｄ１１０，Ｄ１２０を読み出す機能をもった構成要素である。具体的には、ＩＣタグ用リーダライタ装置により、この情報読出部４５を構成することができる。なお、原反情報Ｄ１１０，Ｄ１２０の読出しが終わった後は、必要に応じて、巻取材料１１０，１２０から親ＩＣタグＴ１１０，Ｔ１２０を取り外し、その記録内容を消去すれば、新たなＩＣタグとして再利用することが可能である。
【００３６】
情報入力部５５は、搬送過程で加工部２５によって施されるラミネート加工の内容を示す加工情報ＬＫを入力する機能をもった構成要素であり、コンピュータおよびその入力機器を用いて構成することができる。具体的には、コンピュータ本体、キーボードやマウスなどの入力機器、ディスプレイ装置、そして入力処理を行うための専用プログラムによって、情報入力部５５を構成することができる。加工情報ＬＫとしては、たとえば、ラミネート加工に用いた接着剤の種類やその配合割合、接着時の温度や圧力などのデータを入力することができる。また、必要に応じて、加工済巻取材料を特定するための識別コード（ロールナンバー）や、発注時に与えられる注文番号などの書誌的情報を、加工情報ＬＫとして与えるようにしてもかまわない。もちろん、情報入力部５５に対する加工情報の入力作業は、実際に加工処理を行う前であってもよいし、加工処理を行っている最中でもよいし、加工処理を行った後であってもかまわない。
【００３７】
製品情報作成部６５は、情報読出部４５によって読み出されたＭ通りの原反情報をすべて結合して得られる結合情報に、情報入力部５５で入力された加工情報を付加することにより、加工済巻取材料に付与すべき製品情報を作成する機能を果たす構成要素であり、実際には、コンピュータに専用のプログラムを組み込むことにより構成される。図４に示す例の場合、情報読出部４５によって読み出された原反情報Ｄ１１０，Ｄ１２０を結合し、更に、入力された加工情報ＬＫを付加することにより、加工済巻取材料２５０に付与すべき製品情報Ｄ２５０が作成されることになる。すなわち、製品情報Ｄ２５０は、情報Ｄ１１０，Ｄ１２０，ＬＫをすべて含んだ情報ということになる。
【００３８】
情報書込部７５は、作成された加工済巻取材料２５０に取り付けられるべき子ＩＣタグと無線交信し、製品情報作成部６５によって作成された製品情報を書き込む機能を果たす構成要素であり、実際には、ＩＣタグ用リーダライタ装置により構成することができる。図４に示す例の場合、情報書込部７５は、製品情報作成部６５によって作成された製品情報Ｄ２５０を、子ＩＣタグＴ２５０（未使用のＩＣタグ）に書き込む処理を行う。加工作業担当者は、こうして書込処理が完了した子ＩＣタグＴ２５０を、加工済巻取材料２５０に貼り付ける作業を行うことになる。もちろん、貼り付け後に書込処理を行ってもかまわない。
【００３９】
かくして、加工済巻取材料２５０には、子ＩＣタグＴ２５０が貼り付けられた状態となる。しかもこの子ＩＣタグには、各親ＩＣタグＴ１１０，Ｔ１２０に記録されていた原反情報Ｄ１１０，Ｄ１２０がそっくり含まれており、原反となった各巻取材料１１０，１２０に関する製品情報がそのまま盛り込まれていることになる。また、加工部２５で実施されたラミネート加工に関する加工情報ＬＫも盛り込まれている。たとえば、子ＩＣタグＴ２５０には、「第１の原反情報：製造メーカ○○、製品名○○、商品コード○○、材質○○」、「第２の原反情報：製造メーカ○○、製品名○○、商品コード○○、材質○○」、「ラミネート加工情報：使用接着剤○○」のようなデータが記録されることになる。
【００４０】
＜＜＜  §３．第３の実施形態  ＞＞＞
次に、本発明の第３の実施形態に係る巻取材料の製品情報付与装置を説明する。この第３の実施形態は、前述した第１の実施形態と第２の実施形態とを組み合わせたものに相当する。すなわち、図３の模式図に示されているような巻取材料の加工系において、ラミネート加工後の長尺状材料２５１を所定長さごとに切断して排紙側で巻き取ることにより、複数Ｎ本の加工済巻取材料を生成する巻取材料の加工プロセスが行われる。また、必要に応じて、加工部２５では、ラミネート加工だけでなく、一般的な加工処理（たとえば、印刷処理や乾燥処理）を行ってもかまわない。
【００４１】
結局、この第３の実施形態では、図３に示す加工系において、給紙部１５は、原反となる複数Ｍ本（図示の例では、Ｍ＝２）の巻取材料１１０，１２０をセットするための機構を有し、この給紙部１５にセットされた巻取材料１１０，１２０の先端部は、長尺状材料１１１，１２１として、図の右側（搬送方向）へと引き出され、排紙側へ向けて搬送される。加工部２５は、この搬送過程で、Ｍ枚の長尺状材料１１１，１２１に対してラミネート加工を施して１枚の複合紙からなる長尺状材料２５１を形成させる処理を施す。このとき、必要に応じて、このラミネート加工の前や後に、印刷工程などの他の加工工程を行ってもかまわない。排紙部３５は、この長尺状材料２５１を所定長さごとに巻き取って、複数Ｎ本の加工済巻取材料を生成するための機構を有する。結局、複数Ｍ本の巻取材料が、ラミネート加工を含む種々の加工により、複数Ｎ本の複合紙からなる巻取材料に変貌を遂げたことになる。
【００４２】
ここで述べる第３の実施形態に係る巻取材料の製品情報付与装置は、このような加工系に適用するために、図５に示すように、情報読出部４５，情報入力部５８，製品情報作成部６８，情報書込部７８の４つの構成要素を備えている。この図５における２本の巻取材料１１０，１２０は、図３の給紙側にセットされる原反となる各巻取材料１１０，１２０であり、図５における加工済巻取材料２６０，２７０，２８０は、この２本の巻取材料１１０，１２０に対して少なくともラミネート加工を施した後、所定長さごとに切断して巻き取ることにより、図３に示す排紙側に得られることになる巻取材料である。
【００４３】
この第３の実施形態に係る巻取材料の製品情報付与装置を利用する場合も、原反となる各巻取材料１１０，１２０に、それぞれ親ＩＣタグが取り付けられており、この親ＩＣタグ内に、各巻取材料１１０，１２０についての製品情報が記録されていることが前提となるので、仕入れた巻取材料１１０，１２０に、このような親ＩＣタグが取り付けられていない場合には、まず、親ＩＣタグＴ１１０，Ｔ１２０を準備する作業を行う必要がある。
【００４４】
図５に示すＩＣタグＴ１１０，Ｔ１２０は、それぞれ原反となる巻取材料１１０，１２０に貼り付けられた親ＩＣタグであり、ＩＣタグＴ２６０，Ｔ２７０，Ｔ２８０は、それぞれ加工済巻取材料２６０，２７０，２８０に貼り付けられた子ＩＣタグである。ここに示す製品情報付与装置の目的は、加工済巻取材料に取り付けるべき子ＩＣタグＴ２６０，Ｔ２７０，Ｔ２８０に、所定の製品情報Ｄ２６０，Ｄ２７０，Ｄ２８０を記録する処理を行うことにある。
【００４５】
情報読出部４５は、図４に示す第２の実施形態で用いた情報読出部４５と全く同一の構成要素であり、原反となる巻取材料１１０，１２０に取り付けられている親ＩＣタグＴ１１０，Ｔ１２０と無線交信し、これら親ＩＣタグＴ１１０，Ｔ１２０に記録されている原反情報Ｄ１１０，Ｄ１２０を読み出す機能をもった構成要素である。
【００４６】
情報入力部５８は、搬送過程で加工部２５によって施されるラミネート加工の内容および必要に応じて施されるその他の加工（たとえば、印刷）の内容を示す加工情報を入力する機能をもった構成要素であり、コンピュータおよびその入力機器を用いて構成することができる。具体的には、コンピュータ本体、キーボードやマウスなどの入力機器、ディスプレイ装置、そして入力処理を行うための専用プログラムによって、情報入力部５８を構成することができる。入力する加工情報ＬＫ１，ＬＫ２，ＬＫ３としては、たとえば、ラミネート加工に用いた接着剤の種類やその配合割合、接着時の温度や圧力などのデータを用いることができる。また、必要に応じて、印刷や乾燥などの加工工程を施した場合には、印刷に用いた版の識別番号、インキの種類や配合割合、印刷時の印刷速度、乾燥機の温度などのデータを含ませることができる。あるいは、前掲の各実施形態と同様に、識別コード（ロールナンバー）や注文番号などの書誌的情報を加工情報に含ませることもできる。
【００４７】
前述したとおり、この実施形態に係る加工系では、加工処理後の長尺状材料２５１を所定長さごとに切断して排紙側で巻き取ることにより、複数Ｎ本の加工済巻取材料を生成することができる。図５には、Ｎ＝３、すなわち、合計３本の加工済巻取材料２６０，２７０，２８０を生成した例が示されている。そこで、情報入力部５８には、このＮ本の加工済巻取材料のそれぞれについて、実施した加工処理の内容を示す加工情報を入力する機能を設けられている。図２に示す例の場合、３本の加工済巻取材料２６０，２７０，２８０のそれぞれについての加工情報ＬＫ１，ＬＫ２，ＬＫ３が独立して入力されることになる。
【００４８】
たとえば、全長３００ｍの長さをもった２本の原反となる巻取材料１１０，１２０を用いて、それぞれ１００ｍの長さをもった絵柄の異なる３種類の壁紙を作成する場合を考えてみよう。ここでは、加工部２５において、まず、第１の原反となる巻取材料１１０から引き出された長尺状材料に対して、所定の絵柄を印刷するための印刷加工が施され、その後、印刷済みの長尺状材料に対して、第２の原反となる巻取材料１２０から引き出された長尺状材料を貼り合わせるラミネート加工が施されるものとしよう。
【００４９】
この場合、印刷機には、まず、第１の絵柄を印刷するための版をセットし、巻取材料１１０から引き出された１００ｍ分の長尺状材料１１１に対して印刷工程および乾燥工程を行い、これに巻取材料１２０から引き出された１００ｍ分の長尺状材料１２１を貼り合わせるラミネート加工を行った上で排紙側に巻き取ってゆき、第１の加工済巻取材料２６０を作成する。続いて、第２の絵柄を印刷するための版をセットし、同様に１００ｍ分の長尺状材料に対して印刷工程および乾燥工程を行い、ラミネート加工を行った後、排紙側で別なロールとして巻き取ってゆき、第２の加工済巻取材料２７０を作成する。最後に、第３の絵柄を印刷するための版をセットし、残った１００ｍ分の長尺状材料に対して印刷工程および乾燥工程を行い、ラミネート加工を行った後、排紙側で別なロールとして巻き取ってゆき、第３の加工済巻取材料２８０を作成すれば、絵柄の異なる３種類の壁紙が得られることになる。
【００５０】
この場合、情報入力部５８で入力される加工情報ＬＫ１，ＬＫ２，ＬＫ３は、印刷工程および乾燥工程に関する加工情報と、ラミネート加工に関する加工情報と、の双方を含んだ情報ということになる。したがって、各加工情報Ｋ１，Ｋ２，Ｋ３としては、たとえば、各巻取材料の長さ、印刷に用いた版の識別番号、インキの種類や配合割合、印刷時の印刷速度、乾燥機の温度、ラミネート加工時に用いた接着剤の種類や配合割合、ラミネート加工時の温度や圧力、ロールナンバーや注文番号などの書誌的情報などのデータを入力することができ、それぞれ別個独立したデータということになる。
【００５１】
もちろん、情報入力部５８に対する加工情報の入力作業は、実際に加工処理を行う前であってもよいし、加工処理を行っている最中でもよいし、加工処理を行った後であってもかまわない。また、３本の加工済巻取材料２６０，２７０，２８０を作成する場合であっても、すべて同一の印刷条件、ラミネート加工条件で同一の絵柄を印刷するような場合には、ロールナンバー等の書誌的情報を除いて、１回の入力を行えばよい。
【００５２】
製品情報作成部６８は、情報読出部４５によって読み出されたＭ通りの原反情報をすべて結合して得られる結合情報に、Ｎ本の加工済巻取材料のそれぞれについて入力された加工情報を付加することにより、Ｎ本の加工済巻取材料のそれぞれに付与すべき合計Ｎ通りの製品情報を作成する機能を果たす構成要素であり、実際には、コンピュータに専用のプログラムを組み込むことにより構成される。図５に示す例の場合、情報読出部４５によって読み出された原反情報Ｄ１１０，Ｄ１２０を結合することによって結合情報「Ｄ１１０＋Ｄ１２０」を作成した上で、この結合情報に、３本の加工済巻取材料２６０，２７０，２８０のそれぞれについて入力された加工情報ＬＫ１，ＬＫ２，ＬＫ３を付加することにより、３本の加工済巻取材料２６０，２７０，２８０のそれぞれに付与すべき合計３通りの製品情報Ｄ２６０，Ｄ２７０，Ｄ２８０が作成されることになる。すなわち、製品情報Ｄ２６０は、結合情報「Ｄ１１０＋Ｄ１２０」に加工情報ＬＫ１を付加したものとなり、製品情報Ｄ２７０は、結合情報「Ｄ１１０＋Ｄ１２０」に加工情報ＬＫ２を付加したものとなり、製品情報Ｄ２８０は、結合情報「Ｄ１１０＋Ｄ１２０」に加工情報ＬＫ３を付加したものとなる。
【００５３】
情報書込部７８は、作成されたＮ本の加工済巻取材料のそれぞれに取り付けられるべき子ＩＣタグと無線交信し、製品情報作成部６８によって作成されたＮ通りの製品情報のうち、それぞれ対応する製品情報を書き込む機能を果たす構成要素であり、実際には、ＩＣタグ用リーダライタ装置により構成することができる。図５に示す例の場合、情報書込部７８は、製品情報作成部６８によって作成された３通りの製品情報Ｄ２６０，Ｄ２７０，Ｄ２８０を、３つの子ＩＣタグＴ２６０，Ｔ２７０，Ｔ２８０（未使用のＩＣタグ）に書き込む処理を行う。加工作業担当者は、こうして書込処理が完了した子ＩＣタグＴ２６０，Ｔ２７０，Ｔ２８０を、それぞれ加工済巻取材料２６０，２７０，２８０に貼り付ける作業を行うことになる。もちろん、貼り付け後に書込処理を行ってもかまわない。
【００５４】
かくして、３本の加工済巻取材料２６０，２７０，２８０には、それぞれ子ＩＣタグＴ２６０，Ｔ２７０，Ｔ２８０が貼り付けられた状態となる。しかもすべての各子ＩＣタグには、各親ＩＣタグＴ１１０，Ｔ１２０に記録されていた原反情報Ｄ１１０，Ｄ１２０がそっくり含まれており、原反となった各巻取材料１１０，１２０に関する製品情報がそのまま盛り込まれていることになる。また、子ＩＣタグＴ２６０，Ｔ２７０，Ｔ２８０には、個々の加工済巻取材料２６０，２７０，２８０に対して実施された加工工程の内容を示す加工情報ＬＫ１，ＬＫ２，ＬＫ３が、それぞれ盛り込まれているので、それぞれに必要な製品情報がＩＣタグによって付与されたことになる。たとえば、子ＩＣタグＴ２６０には、「第１の原反情報：製造メーカ○○、製品名○○、商品コード○○、材質○○」、「第２の原反情報：製造メーカ○○、製品名○○、商品コード○○、材質○○」、「ラミネート加工情報：使用接着剤○○」、「加工情報：使用インキ○○，○○，○○」のようなデータが記録されることになる。また、ロールナンバーとしては、たとえば、同一の主ナンバーに枝番「ＬＫ１」を付加したものが記録されることになる。
【００５５】
＜＜＜  §４．種々の組み合わせ例  ＞＞＞
以上、本発明を３つの基本的実施形態について説明した。これらの基本的実施形態は、いずれも給紙側から排紙側へと長尺状材料を搬送しながら、加工部によって、印刷、乾燥、ラミネート加工などの加工処理を施す形態であるが、もちろん、加工部によって行われる加工は、単一の加工処理に限定されるものではなく、複数段階の加工プロセスを順次行うような場合であっても、本発明を同様に適用することができる。
【００５６】
また、実際に建材などを製造する工程では、給紙側から排紙側へと長尺状材料を搬送しながら種々の加工処理を施すというプロセス自体を、複数段階繰り返して実行するのが一般的であるが、このような場合も、前述した基本的実施形態を複数段階組み合わせるようにすれば、本発明を同様に適用することができる。
【００５７】
たとえば、図６に示す実施形態は、原反となる巻取材料１００に対して所定の加工を施し、これを所定長さごとに切断しながら巻き取ることにより、３本の加工済巻取材料２１０，２２０，２３０を作成する第１段階目の加工処理を行った後、今度は、これら３本の加工済巻取材料２１０，２２０，２３０のそれぞれについて、所定の加工を施し、これを所定長さごとに切断しながら巻き取る第２段階目の加工処理を行ったものである。その結果、加工済巻取材料２１０に基づいて３本の加工済巻取材料３１１，３１２，３１３が作成され、加工済巻取材料２２０に基づいて３本の加工済巻取材料３２１，３２２，３２３が作成され、加工済巻取材料２３０に基づいて３本の加工済巻取材料３３１，３３２，３３３が作成されている。いわば、原反となる巻取材料１００を親とすると、加工済巻取材料２１０，２２０，２３０は子となり、加工済巻取材料３１１〜３３３は孫という関係になる。
【００５８】
実際の製造プロセスでは、更にひ孫、玄孫に相当する加工済巻取材料が作成される場合もあるが、このような加工プロセスを複数段階繰り返して実施するケースについては、個々の段階ごとに前述した基本的実施形態を適用すればよい。すなわち、図６の第１段階のプロセスでは、親に相当する巻取材料１００に基づいて、３本の子に相当する巻取材料２１０，２２０，２３０が作成されているが、これは図２に示す第１の実施形態の事例と全く同様であり、前述した第１の実施形態をそのまま適用することが可能である。具体的には、巻取材料１００に貼り付けられていた親ＩＣタグＴ１００から、原反情報Ｄ１００を読出し、３通りの加工情報Ｋ１，Ｋ２，Ｋ３を入力し、これらを合成することにより、３通りの製品情報Ｄ２１０＝Ｄ１００＋Ｋ１，Ｄ２２０＝Ｄ１００＋Ｋ２，Ｄ２３０＝Ｄ１００＋Ｋ３を作成し、これらをそれぞれ子ＩＣタグＴ２１０，Ｔ２２０，Ｔ２３０に書き込み、巻取材料２１０，２２０，２３０へと貼り付ける作業を行えばよい。
【００５９】
続いて、図６の第２段階のプロセスでは、子に相当する巻取材料２１０，２２０，２３０に基づいて、それぞれ３本ずつの孫に相当する巻取材料３１１，３１２，３１３、巻取材料３２１，３２２，３２３、巻取材料３３１，３３２，３３３が作成されているが、この第２段階のプロセスの１つずつに着目すれば、いずれも図２に示す第１の実施形態の事例と全く同様であり、前述した第１の実施形態をそのまま適用することが可能である。
【００６０】
たとえば、子に相当する巻取材料２１０に基づいて、３本の孫に相当する巻取材料３１１，３１２，３１３を作成するプロセスのみに着目すれば、子に相当する巻取材料２１０を原反となる巻取材料として取り扱うことにより、第１の実施形態をそのまま適用することが可能である。別言すれば、巻取材料２１０を親、巻取材料３１１，３１２，３１３を子として取り扱えば、そのまま第１の実施形態の適用が可能になる。すなわち、巻取材料２１０に貼り付けられていた親ＩＣタグＴ２１０から、原反情報Ｄ２１０を読出し、３通りの加工情報Ｋ１１，Ｋ１２，Ｋ１３を入力し、これらを合成することにより、３通りの製品情報Ｄ３１１＝Ｄ１００＋Ｋ１＋Ｋ１１，Ｄ３１２＝Ｄ１００＋Ｋ１＋Ｋ１２，Ｄ３１３＝Ｄ１００＋Ｋ１＋Ｋ１３を作成し、これらをそれぞれ子ＩＣタグＴ３１１，Ｔ３１２，Ｔ３１３に書き込み、巻取材料３１１，３１２，３１３へと貼り付ける作業を行えばよい。
【００６１】
全く同様に、巻取材料２２０に基づいて、３本の巻取材料３２１，３２２，３２３を作成するプロセスでは、巻取材料２２０に貼り付けられていた親ＩＣタグＴ２２０から、原反情報Ｄ２２０を読出し、３通りの加工情報Ｋ２１，Ｋ２２，Ｋ２３を入力し、これらを合成することにより、３通りの製品情報Ｄ３２１＝Ｄ１００＋Ｋ２＋Ｋ２１，Ｄ３２２＝Ｄ１００＋Ｋ２＋Ｋ２２，Ｄ３２３＝Ｄ１００＋Ｋ２＋Ｋ２３を作成し、これらをそれぞれ子ＩＣタグＴ３２１，Ｔ３２２，Ｔ３２３に書き込み、巻取材料３２１，３２２，３２３へと貼り付ける作業を行えばよい。
【００６２】
また、巻取材料２３０に基づいて、３本の巻取材料３３１，３３２，３３３を作成するプロセスでは、巻取材料２３０に貼り付けられていた親ＩＣタグＴ２３０から、原反情報Ｄ２３０を読出し、３通りの加工情報Ｋ３１，Ｋ３２，Ｋ３３を入力し、これらを合成することにより、３通りの製品情報Ｄ３３１＝Ｄ１００＋Ｋ３＋Ｋ３１，Ｄ３３２＝Ｄ１００＋Ｋ３＋Ｋ３２，Ｄ３３３＝Ｄ１００＋Ｋ３＋Ｋ３３を作成し、これらをそれぞれ子ＩＣタグＴ３３１，Ｔ３３２，Ｔ３３３に書き込み、巻取材料３３１，３３２，３３３へと貼り付ける作業を行えばよい。
【００６３】
もちろん、孫に相当する加工済巻取材料３１１〜３３３に基づいて、更にひ孫を作成する第３段階のプロセスを行う場合には、これら孫に相当する加工済巻取材料３１１〜３３３を、それぞれ原反となる巻取材料（親）として取り扱えば、第１の実施形態をそのまま適用することが可能である。以下、第４段階以降のプロセスについても同様である。
【００６４】
一方、図７に示す実施形態は、原反となる巻取材料１００に対して所定の加工を施し、これを所定長さごとに切断しながら巻き取ることにより、３本の加工済巻取材料２１０，２２０，２３０を作成する第１段階目の加工処理を行った後、今度は、別な原反となる巻取材料４００を用意し、この巻取材料４００の全長の前半部分（巻取の外側部分）と巻取材料２１０とを用いたラミネート加工を行い、これを所定長さごとに切断して２本の巻取材料５１０，５２０を作成した後、巻取材料４００の残りの後半部分と巻取材料２２０とを用いたラミネート加工を行い、これを所定長さごとに切断して２本の巻取材料５３０，５４０を作成するプロセスに本発明を適用した例である。
【００６５】
このような複雑なプロセスであっても、各段階ごとのプロセスに着目すれば、前掲の各基本的実施形態の組み合わせとして把握することができる。まず、図７の第１段階のプロセスでは、親に相当する巻取材料１００に基づいて、３本の子に相当する巻取材料２１０，２２０，２３０が作成されているが、これは図２に示す第１の実施形態の事例と全く同様であり、前述した第１の実施形態をそのまま適用することが可能である。すなわち、巻取材料１００に貼り付けられていた親ＩＣタグＴ１００から、原反情報Ｄ１００を読出し、３通りの加工情報Ｋ１，Ｋ２，Ｋ３を入力し、これらを合成することにより、３通りの製品情報Ｄ２１０＝Ｄ１００＋Ｋ１，Ｄ２２０＝Ｄ１００＋Ｋ２，Ｄ２３０＝Ｄ１００＋Ｋ３を作成し、これらをそれぞれ子ＩＣタグＴ２１０，Ｔ２２０，Ｔ２３０に書き込み、巻取材料２１０，２２０，２３０へと貼り付ける作業を行えばよい。
【００６６】
また、図７の第２段階のプロセスのうち、巻取材料４００の前半部分と巻取材料２１０とを用いて２本の巻取材料５１０，５２０を作成するプロセスは、図５に示す第３の実施形態の事例と全く同様であり、前述した第３の実施形態をそのまま適用することが可能である。すなわち、まず、巻取材料２１０に貼り付けられていた親ＩＣタグＴ２１０（第１段階のプロセスでは子ＩＣタグであるが、第２段階のプロセスでは親ＩＣタグとなる）から原反情報Ｄ２１０を読み出すとともに、巻取材料４００に貼り付けられていた親ＩＣタグＴ４００から原反情報Ｄ４００を読み出し、これらを結合して、結合情報「Ｄ２１０＋Ｄ４００＝Ｄ１００＋Ｋ１＋Ｄ４００）を作成する。続いて、２通りの加工情報Ｋ４１，Ｋ４２を入力して先の結合情報に付加することにより、２通りの製品情報Ｄ５１０＝Ｄ１００＋Ｋ１＋Ｄ４００＋Ｋ４１，Ｄ５２０＝Ｄ１００＋Ｋ１＋Ｄ４００＋Ｋ４２を作成し、これらをそれぞれ子ＩＣタグＴ５１０，Ｔ５２０に書き込み、巻取材料５１０，５２０へと貼り付ける作業を行えばよい。
【００６７】
全く同様に、巻取材料４００の後半部分と巻取材料２２０とを用いて２本の巻取材料５３０，５４０を作成するプロセスにも、前述した第３の実施形態をそのまま適用することが可能である。すなわち、まず、巻取材料２２０に貼り付けられていた親ＩＣタグＴ２２０から原反情報Ｄ２２０を読み出すとともに、巻取材料４００に貼り付けられていた親ＩＣタグＴ４００から原反情報Ｄ４００を読み出し（上述した前半のプロセスで読み出した原反情報Ｄ４００をそのまま流用できる場合には、新たに読み出す作業を行う必要はない）、これらを結合して、結合情報「Ｄ２２０＋Ｄ４００＝Ｄ１００＋Ｋ２＋Ｄ４００）を作成する。続いて、２通りの加工情報Ｋ４３，Ｋ４４を入力して先の結合情報に付加することにより、２通りの製品情報Ｄ５３０＝Ｄ１００＋Ｋ２＋Ｄ４００＋Ｋ４３，Ｄ５４０＝Ｄ１００＋Ｋ２＋Ｄ４００＋Ｋ４４を作成し、これらをそれぞれ子ＩＣタグＴ５３０，Ｔ５４０に書き込み、巻取材料５３０，５４０へと貼り付ける作業を行えばよい。
【００６８】
このように、実用上の巻取材料の製造プロセスは、かなり複雑な複数段階の工程からなることが多いが、個々の段階に着目し、１つの段階で得られる子ＩＣタグを、次の段階での原反としての親ＩＣタグとして取り扱うようにすれば、前述した３つの基本的実施形態の組み合わせからなる工程として把握することができる。
【図面の簡単な説明】
【００６９】
【図１】本発明の第１の実施形態に係る巻取材料の製品情報付与装置の適用対象となる巻取材料の加工系を示す模式図である。
【図２】本発明の第１の実施形態に係る巻取材料の製品情報付与装置の構成を説明するためのブロック図である。
【図３】本発明の第２の実施形態に係る巻取材料の製品情報付与装置の適用対象となる巻取材料の加工系を示す模式図である。
【図４】本発明の第２の実施形態に係る巻取材料の製品情報付与装置の構成を説明するためのブロック図である。
【図５】本発明の第３の実施形態に係る巻取材料の製品情報付与装置の構成を説明するためのブロック図である。
【図６】本発明の基本的実施形態を組み合わせることにより、巻取材料の製品情報を作成する第１の実施例を示すブロック図である。
【図７】本発明の基本的実施形態を組み合わせることにより、巻取材料の製品情報を作成する第２の実施例を示すブロック図である。
【符号の説明】
【００７０】
１０，１５…給紙部
２０，２５…加工部
３０，３５…排紙部
４０，４５…情報読出部
５０，５５，５８…情報入力部
６０，６５，６８…製品情報作成部
７０，７５，７８…情報書込部
１００，１１０，１２０…原反となる巻取材料
１０１，１１１，１２１…原反となる巻取材料から引き出された長尺状材料
２１０，２２０，２３０，２５０，２６０，２７０，２８０…加工済巻取材料
２１１…加工済みの長尺状材料
２５１…複合紙からなる長尺状材料
３１１〜３３３…加工済巻取材料
４００…原反となる巻取材料
５１０〜５４０…加工済巻取材料
Ｄ１００，Ｄ１１０，Ｄ１２０…原反情報
Ｄ２１０，Ｄ２２０，Ｄ２３０，Ｄ２５０…作成された製品情報
Ｄ３１１〜Ｄ３３３…作成された製品情報
Ｄ５１０〜Ｄ５４０…作成された製品情報
Ｋ１，Ｋ２，Ｋ３…加工情報
Ｋ１１〜Ｋ３３…加工情報
Ｋ４１〜Ｋ４４…加工情報
ＬＫ，ＬＫ１，ＬＫ２，ＬＫ３…ラミネート加工を含む加工情報
Ｔ１００…親ＩＣタグ
Ｔ２１０，Ｔ２２０，Ｔ２３０，Ｔ２５０，Ｔ２６０，Ｔ２７０，Ｔ２８０…子ＩＣタグ
Ｔ３１１〜Ｔ３３３…孫ＩＣタグ
Ｔ５１０〜Ｔ５４０…孫ＩＣタグ
【図１】
2006273441.tif 000003
【図２】
2006273441.tif 000004
【図３】
2006273441.tif 000005
【図４】
2006273441.tif 000006
【図５】
2006273441.tif 000007
【図６】
2006273441.tif 000008
【図７】
2006273441.tif 000009